(57)【特許請求の範囲】
【請求項１】
連設した複数のシート部がそれらの周辺領域で剥離糊により貼着されて折畳み状態で閉じられ、剥離糊を剥がすことで隣接する２つのシート部を見開き状態にできる印刷物であって、見開き状態となる一方のシート部には紙片部分を区画する切抜きが一部につなぎを残した状態で形成されており、見開き状態となる他方のシート部には一方のシート部における紙片部分に対応する範囲内に所定の長さの腕片部分を区画する切抜きが形成され、その腕片部分の先端領域が一方のシート部における紙片部分の内面側に剥離糊により貼着されており、２つのシート部を見開き状態とした時に紙片部分がつなぎと腕片部分とで引っ張られて２つのシート部の間で宙に浮いた状態となるようにつなぎの位置と腕片部分の位置が決められていることを特徴とする紙片付き印刷物。
【発明の詳細な説明】
【技術分野】
【０００１】
本発明は、ハガキ、クーポン券、チケットなどの紙片が切離し可能に一体化してなる印刷物の技術分野に属し、例えば、ハガキ部分を備えた折込みチラシなどの紙片付き印刷物に関するものである。
【背景技術】
【０００２】
従来より、広告の一手段として、全国紙等の新聞に折込みチラシを挟んで配達することが行われている。そして、例えば広告を見てすぐに応募したり資料請求が行えるようにとの観点から、切取り可能なハガキを一部に備えたハガキ付き印刷物が利用されており、それらの中でも、広告量の多い見開き状態とすることができるタイプであって、かつハガキの付いたタイプの印刷物が知られている（例えば、特許文献１，２参照）。
【０００３】
特許文献１に記載の印刷物は、チラシとして利用可能な紙片付き印刷物であって、所定の箇所に剥離可能な接着剤が塗布され、圧着されていて左右に開くことができるようになっており、表面の所定の箇所にハガキ部分を設けてある。この印刷物では、ハガキ部分がミシン目で切り取られるようになっており、そのハガキ部分は紙を２枚重ねたようになっているので、ハガキとしての重さ、厚さ等の条件を適合させることができる。
【０００４】
特許文献２に記載の印刷物は、台紙に折線を介して貼付紙を連設し、この貼付紙の端部に補強紙を強接着した重合部を構成し、その重合部の端部をハガキの一部を突出部として残した状態で切り抜くとともに、重合部の残存部分にハガキの一部を構成するミシン目を形成しておき、貼付紙を折線によって台紙の上に折り畳んで、ハガキの突出部を除いた貼付紙と補強紙の全面を弱接着したものである。この印刷物は、ハガキの突出部を掴んで貼付紙をめくって全体を開くことができ、このように開いてからハガキの部分をミシン目に沿って切り取って使用するようになっている。
【先行技術文献】
【特許文献】
【０００５】
【特許文献１】実用新案登録第３０９６９１０号公報
【特許文献２】実用新案登録第３１３６８５６号公報
【発明の概要】
【発明が解決しようとする課題】
【０００６】
上記の引用文献１，２に記載の如き紙片付き印刷物は、見開くことで広い広告面を提供できるという利点を有しているが、見開いた後でハガキとなる紙片部分をミシン目で切り取るようになっているため、切取りの手間がかかるばかりか、切り取ったハガキの周囲にギザギザが残って見苦しくなるという問題がある。
【０００７】
本発明は、上記のような背景に鑑みてなされたものであり、その目的とするところは、開いた後で紙片部分を簡単にしかも綺麗な形で分離することができる紙片付き印刷物を提供することにある。
【課題を解決するための手段】
【０００８】
本発明に係る紙片付き印刷物は、連設した複数のシート部がそれらの周辺領域で剥離糊により貼着されて折畳み状態で閉じられ、剥離糊を剥がすことで隣接する２つのシート部を見開き状態にできる印刷物であって、見開き状態となる一方のシート部には紙片部分を区画する切抜きが一部につなぎを残した状態で形成されており、見開き状態となる他方のシート部には一方のシート部における紙片部分に対応する範囲内に所定の長さの腕片部分を区画する切抜きが形成され、その腕片部分の先端領域が一方のシート部における紙片部分の内面側に剥離糊により貼着されており、２つのシート部を見開き状態とした時に紙片部分がつなぎと腕片部分とで引っ張られて２つのシート部の間で宙に浮いた状態となるようにつなぎの位置と腕片部分の位置が決められていることを特徴とする。
【発明の効果】
【０００９】
本発明の紙片付き印刷物は、折畳み状態から一方のシート部と他方のシート部を見開き状態にすると、一方のシート部における紙片部分はつなぎのところが繋がった状態で他方のシート部における脚片部分に引っ張られて宙に浮いた状態になるので、つなぎを破断するとともに腕片部分の先端領域を剥がすことで、紙片部分を簡単にしかも周囲にミシン目がない綺麗な状態で分離することができる。
【図面の簡単な説明】
【００１０】
【図１】本発明に係る第１実施形態の紙片付き印刷物の一例を示す正面図である。
【図２】図１に示す紙片付き印刷物の背面図である。
【図３】図１に示す紙片付き印刷物の展開図である。
【図４】第１実施形態の紙片付き印刷物を見開いた状態で示す斜視図である。
【図５】本発明に係る第２実施形態の紙片付き印刷物の一例を示す正面図である。
【図６】図４に示す紙片付き印刷物の背面図である。
【図７】図４に示す紙片付き印刷物の展開図である。
【図８】第２実施形態の紙片付き印刷物を見開いた状態で示す斜視図である。
【図９】図１に示す紙片付き印刷物の変形例を示す背面図である。
【図１０】図１に示す紙片付き印刷物の変形例を示す背面図である。
【発明を実施するための形態】
【００１１】
次に、本発明の実施形態について図面を参照しながら詳細に説明する。
【００１２】
〔第１実施形態〕
図１及び図２は本発明に係る第１のタイプの紙片付き印刷物Ａ1 を未開封状態で示すもので、図３は開いた状態で示す説明用の展開図である。この紙片付き印刷物Ａ1 は、新聞の折込みチラシのサイズをした見開きタイプの印刷物である。
【００１３】
図１及び図２に示す紙片付き印刷物Ａ1 の展開形状は、図３に示すように、中央シート部１１の左右にそれぞれ折線ａ，ｂを介して側方シート部１２，１３が連設した横長状をしており、左側の側方シート部１２よりも右側の側方シート部１３の方が幅が広く、両者を合わせた幅が中央シート部１１と同じになっている。すなわち、中央シート部１１の左右にそれぞれ側方シート部１２，１３が折返し状態で連設されており、左右の側方シート部１２，１３を開くことで全体を見開き状態にできるようになっている。
【００１４】
右側の側方シート部１３には、ハガキとなる矩形状の紙片部分１４を区画する切抜きαが左上のコーナーにつなぎα1 を残した状態で形成されている。また、中央シート部１１には、右側の側方シート部１３における紙片部分１４に対応する範囲内において略中程から下方に向けて伸びる腕片部分１５を区画する切抜きβが形成されている。ここで、ハガキとなる紙片部分１４をそれに見合う紙厚とするため、右側の側方シート部１３の内面側に上下方向の補強用紙１６が貼着されている。
【００１５】
なお、図１〜図３では右側の側方シート部１３を広くしているが、左側の側方シート部１２を広くし、左側シート部に切抜きαを設けて、右側の側方シート部１３を狭くした印刷物でも構わない。また、左側の側方シート部１２をなくして、中央シート部１１と右側の側方シート部１３を同じサイズにした形状でもよい。また、ハガキとなる矩形状の紙片部分１４が薄い場合は、厚みをだすために補強用紙１６を貼り合わせているが、紙片部分１４が十分な厚みがあれば補強用紙を貼り合わせる必要はない。
【００１６】
そして、図３に示すシート部１１〜１３は、側方シート部１２，１３の外辺に沿って塗布した剥離糊ｇにより周辺領域で貼着されることで、図１及び図２に示す折畳み状態で閉じられている。このとき、紙片部分１４において腕片部分１５の先端領域に対応するところにも剥離糊ｇを塗布しておき、腕片部分１５の先端領域が紙片部分１４の内面側に仮接着するようにしている。また、左右の側方シート部１２，１３に、それらが向かい合う下端コーナー部分に剥離糊ｇの未塗布部分を設けておくことで、見開き時の取っ掛かり部分１２ａ，１３ａを形成している。
【００１７】
この紙片付き印刷物Ａ1 を製造する一連の手順は次のようである。まず、図３の展開図よりも幅の広い連続用紙を送りながら印刷機により所定の印刷を施した後、その連続用紙をスリッター（４枚刃）に通し、左右の側方シート部１２，１３の外側を切断するとともに連続用紙の片側を補強用紙１６として切断してから、シート部１１〜１３の部分と補強用紙１６の部分とをアングルバーで分離し、パターングルアで側方シート部１３に接着糊を塗布してその上から補強用紙１６を重ねて貼り合わせる。
【００１８】
次いで、連続用紙のまま搬送しながら、右側の側方シート部１３に対し図３に示す位置にパターングルアで剥離糊ｇを塗布し、プラウフォルダにより折線ｂで谷折して中央シート部１１に貼り合わせ、さらに、左側の側方シート図１２に対しても図３に示す位置にパターングルアで剥離糊ｇを塗布し、プラウフォルダにより折線ａで谷折して中央シート部１１に貼り合わせる。これにより、連設した３つのシート部１１〜１３がそれらの周辺領域で剥離糊ｇにより貼着されて折畳み状態で閉じられるとともに、中央シート部１１における腕片部分１５の先端領域が側方シート部１３における紙片部分１４の内面側に仮接着される。
【００１９】
続いて、連続用紙のまま搬送しながら、裏側のダイカッターにより半抜きすることで、中央シート部１１に切抜きβを入れて腕片部分１５を型抜きし、さらに、表側のダイカッターにより半抜きすることで、側方シート部１３に切抜きαを入れて紙片部分１４を型抜きする。このとき、側方シート部１３に入れる切抜きαは右上のコーナーに０．５〜１ｍｍ程度のつなぎα1 を残すようにする。最後に、ロータリーカッターにより、連続用紙の状態から横方向に次々と断裁して個々の紙片付き印刷物Ａ1 が得られる。
【００２０】
この紙片付き印刷物Ａ1 は、折込みチラシとして新聞に挟まれ、各家庭等に配布される。このように、新聞に挟んだ状態にすると、配達等の取扱い時に紙片部分１４がばたつくことがない。そして、この折込みチラシを見る人は、左右の側方シート部１２，１３をその取っ掛かり部分１２ａ，１３ａをきっかけとして剥がすことで見開き状態とする。このとき、図４に示すように、右側の側方シート部１３における紙片部分１４はつなぎα1 のところが繋がった状態で中央シート部１１における脚片部分１５に引っ張られ、斜めに傾いて宙に浮いた状態になる。したがって、この宙に浮いた紙片部分１４を把持し、つなぎα1 を破断するとともに腕片部分１５の先端領域を剥がすことで、紙片部分１４を簡単に分離することができる。
【００２１】
〔第２実施形態〕
図５及び図６は本発明に係る第２のタイプの紙片付き印刷物Ａ2 を未開封状態で示すもので、図７は開いた状態で示す説明用の展開図である。この紙片付き印刷物Ａ2 は、図１及び図２に示した紙片付き印刷物Ａ1 と同様、新聞の折込みチラシのサイズをした見開きタイプの印刷物である。
【００２２】
図５及び図６に示す紙片付き印刷物Ａ2 の展開形状は、図７に示すように、中央シート部２１の左右にそれぞれ折線ａ，ｂを介して側方シート部２２，２３が連設した横長状をしており、左側の側方シート部２２よりも右側の側方シート部２３の方が幅が広く、両者を合わせた幅が中央シート部２１と同じになっている。すなわち、この紙片付き印刷物Ａ2 も、中央シート部２１の左右にそれぞれ側方シート部２２，２３が折返し状態で連設されており、左右の側方シート部２２，２３を開くことで全体を見開き状態にできるようになっている。
【００２３】
右側の側方シート部２３には、ハガキとなる矩形状の紙片部分２４を区画する切抜きαが左辺の中ほど２ヶ所につなぎα1 ，α2 を残した状態で形成されている。また、中央シート部２１には、右側の側方シート部２３における紙片部分２４に対応する範囲内において上下方向の中ほどにて右から左に向けて伸びる腕片部分２５を区画する切抜きβが形成されている。ここで、ハガキとなる紙片部分２４をそれに見合う紙厚とするため、右側の側方シート部２３の内面側に上下方向の補強用紙２６が貼着されている。
【００２４】
なお、図５〜７とは異なり、左側の側方シート部２２の方が右側の側方シート部２３よりも幅が広くなるようにし、左側の側方シート部２２に切抜きαを設けて、両者を合わせた幅が中央シート部２１と同じにしたものでもよい。また、紙片部分２４を区画する切抜きαに２ヶ所のつなぎα1 ，α2 を設けているが、１ヶ所あるいは３ヶ所以上設けてもよい。また、補強用紙２６もハガキの厚みに応じて貼着すればよい。
【００２５】
そして、図７に示すシート部２１〜２３は、側方シート部２２，２３の外辺に沿って塗布した剥離糊ｇにより周辺領域で貼着されることで、図５及び図６に示す折畳み状態で閉じられている。このとき、紙片部分２４において腕片部分２５の先端領域に対応するところにも剥離糊ｇを塗布しておき、腕片部分２５の先端領域が紙片部分２４の内面側に仮接着するようにしている。また、左右の側方シート部２２，２３に、それらが向かい合う下端コーナー部分に剥離糊ｇの未塗布部分を設けておくことで、見開き時の取っ掛かり部分２２ａ，２３ａを形成している。
【００２６】
この紙片付き印刷物Ａ2 は、図７の展開図よりも幅の広い連続用紙を送りながら所定の印刷を施し、続けて前記した紙片付き印刷物Ａ1 で述べたのと同じ加工を順次施すことで製造される。ただ、中央シート部２１における腕片部分２５の場所が異なるので、その先端領域に対応する剥離糊ｇの位置をそれに合わせた糊版を使用する。また、中央シート部２１に切抜きβを入れて腕片部分２５を型抜きするための裏側のダイカッターは抜型の異なるものを使用し、側方シート部２３に切抜きαを入れて紙片部分２４を型抜きする表側のダイカッターも２つのつなぎα1 ，α2 を残す抜型を使用する。
【００２７】
この紙片付き印刷物Ａ2 は、先の紙片付き印刷物Ａ1 と同様、折込みチラシとして新聞に挟まれ、各家庭等に配布される。そして、この折込みチラシを見る人は、左右の側方シート部２２，２３をその取っ掛かり部分２２ａ，２３ａをきっかけとして剥がすことで見開き状態とする。このとき、図８に示すように、右側の側方シート部２３における紙片部分２４はつなぎα1 ，α2 のところが繋がった状態で中央シート部２１における脚片部分２５に引っ張られ、平行移動して宙に浮いた状態になる。したがって、この宙に浮いた紙片部分２４を把持し、２ヶ所のつなぎα1 ，α2 を破断するとともに腕片部分２５の先端領域を剥がすことで、紙片部分２４を簡単に分離することができる。
【００２８】
〔他の実施形態〕
以上、本発明を実施するための形態について詳細に説明してきたが、本発明による紙片付き印刷物は、上記の実施形態に何ら限定されるものではなく、本発明の趣旨を逸脱しない範囲において種々の変更が可能であることは当然のことである。
【００２９】
例えば、第１実施形態では、中央シート部１１に切抜きβで区画する腕片部分１５について、右側の側方シート部１３における紙片部分１４に対応する範囲内において略中程から下方に向けて伸びる形状で設けたが、その腕片部分１５の位置は適宜決めればよく、また形状については、図９に示すような斜め方向としてもよいし、図１０に示すような斜め方向でかつ湾曲した形状としてもよい。要は、中央シート部１１と右側の側方シート部１３を見開き状態とした時に紙片部分１４がつなぎαと腕片部分１５とで引っ張られて２つのシート部１１，１３の間で宙に浮いた状態となるように、つなぎαの位置と腕片部分１５の位置を決めればよいものである。
【００３０】
また、第１及び第２実施形態では、用途を新聞の折込みチラシとしたが、二つ折りにして袋に入れた状態にし、雑誌等の付録として利用することができる。この場合、紙片部分を内側にして二つ折りすれば紙片部分がばたつくことがない。
【００３１】
また、第１及び第２実施形態では、開きやすくするために左側の側方シート部１２を設けたが、このようなシート部を省略して単なる２つ折りとした形態を採ることもできるし、前記したように左右を反対にした形態を採ることもできる。要は、連設した複数のシート部がそれらの周辺領域で剥離糊により貼着されて折畳み状態で閉じられ、剥離糊を剥がすことで隣接する２つのシート部を見開き状態にできる印刷物であればよい。
【産業上の利用可能性】
【００３２】
本発明の紙片付き印刷物は、上記したようなハガキ部分を備えた折込みチラシのほかに、クーポン券、チケットなどの紙片を分離して使用するような印刷物にも適用が可能である。
【符号の説明】
【００３３】
Ａ1 ，Ａ2   紙片付き印刷物
１１  中央シート部
１２，１３  側方シート部
１２ａ，１３ａ  取っ掛かり部分
１４  紙片部分
１５  腕片部分
１６  補強用紙
２１  中央シート部
２２，２３  側方シート部
２２ａ，２３ａ  取っ掛かり部分
２４  紙片部分
２５  腕片部分
２６  補強用紙
ａ，ｂ  折線
ｇ  剥離糊
α，β  切抜き
α1 ，α2   つなぎ
【図１】
0005664906.tif 000002
【図２】
0005664906.tif 000003
【図３】
0005664906.tif 000004
【図４】
0005664906.tif 000005
【図５】
0005664906.tif 000006
【図６】
0005664906.tif 000007
【図７】
0005664906.tif 000008
【図８】
0005664906.tif 000009
【図９】
0005664906.tif 000010
【図１０】
0005664906.tif 000011